(57)【要約】セッション管理機能を選択するための方法および装置が、開示される。一実施形態では、本方法は、要求スライス情報を無線通信デバイスから受信することと、ネットワークスライスインスタンス選択要求メッセージを、少なくとも１つのネットワークスライスインスタンスに関する機能情報を維持する第１のデータベースに送信することであって、ネットワークスライスインスタンス選択要求メッセージは、要求スライス情報と、要求されるデータセッションがホームルーティングされることのインジケーションとを備える、ことと、ネットワークスライスインスタンス選択応答メッセージを第１のデータベースから受信することと、サービス提供ネットワークスライスインスタンスと関連付けられた第１のセッション管理機能を選択することと、ホームネットワークスライスインスタンスと関連付けられた第２のセッション管理機能を選択することとを含む。
2020516165.tif 000002
【特許請求の範囲】
【請求項１】
方法であって、
登録要求をユーザ機器（ＵＥ）デバイスから受信することと、
前記ＵＥデバイスと関連付けられたアクセス場所情報および許可スライス情報を論理ネットワークデータベースに送信することと、
承認スライス情報およびホームネットワークの関連付けられたスライス情報を前記論理ネットワークデータベースから受信することと、
登録承認メッセージを前記ＵＥデバイスに送信することであって、前記登録承認メッセージは、前記承認スライス情報を備える、ことと
を含む、方法。
【請求項２】
更新要求を前記ホームネットワークのサブスクライバデータベースに送信することと、
前記許可スライス情報を前記サブスクライバデータベースから受信することと
をさらに含む、請求項１に記載の方法。
【請求項３】
前記アクセス場所情報は、前記登録要求とともに受信される、請求項１に記載の方法。
【請求項４】
前記アクセス場所情報は、追跡エリア識別子リストを備える、請求項３に記載の方法。
【請求項５】
前記登録要求は、前記ＵＥデバイスと関連付けられた構成スライス情報を備え、前記承認スライス情報は、前記構成スライス情報および前記許可スライス情報をサービス提供ネットワークの対応するスライス情報にマッピングし、前記アクセス場所情報によって示されるエリア内でサポートされる共通スライス情報を見出すことによって生成される、請求項１に記載の方法。
【請求項６】
前記承認スライス情報と関連付けられたネットワークスライスインスタンスを識別する情報を送信することをさらに含む、請求項５に記載の方法。
【請求項７】
前記ネットワークスライスインスタンスを識別する情報は、サービス提供ネットワークと関連付けられた第１のネットワークスライスインスタンスに関する情報にアクセスするための第１のネットワークアドレスと、前記ホームネットワークと関連付けられた第２のネットワークスライスインスタンスに関する情報にアクセスするための第２のネットワークアドレスとを備える、請求項６に記載の方法。
【請求項８】
前記承認スライス情報および前記ホームネットワークの関連付けられたスライス情報をメモリ内に記憶することをさらに含む、請求項１に記載の方法。
【請求項９】
前記登録承認メッセージはさらに、前記アクセス場所情報を備える、請求項１に記載の方法。
【請求項１０】
前記アクセス場所情報は、追跡エリア識別子リストを備える、請求項９に記載の方法。
【請求項１１】
方法であって、
要求スライス情報を無線通信デバイスから受信することと、
ネットワークスライスインスタンス選択要求メッセージを、少なくとも１つのネットワークスライスインスタンスに関する機能情報を維持する第１のデータベースに送信することであって、前記ネットワークスライスインスタンス選択要求メッセージは、前記要求スライス情報と、要求されるデータセッションがホームルーティングされることのインジケーションとを備える、ことと、
ネットワークスライスインスタンス選択応答メッセージを前記第１のデータベースから受信することと、
サービス提供ネットワークスライスインスタンスと関連付けられた第１のセッション管理機能を選択することと、
ホームネットワークスライスインスタンスと関連付けられた第２のセッション管理機能を選択することと
を含む、方法。
【請求項１２】
前記方法はさらに、前記要求スライス情報をホームネットワークの対応するスライス情報にマッピングすることを含む、請求項１１に記載の方法。
【請求項１３】
前記ネットワークスライスインスタンス選択応答メッセージは、前記サービス提供ネットワークスライスインスタンスと関連付けられた第１のネットワークアドレスと、前記ホームネットワークスライスインスタンスと関連付けられた第２のネットワークアドレスとを備える、請求項１１に記載の方法。
【請求項１４】
前記第１のネットワークアドレスは、前記サービス提供ネットワークスライスインスタンスに関する第１の機能情報を含有する第１のデータベースへのアクセスを有効にし、前記第２のネットワークアドレスは、前記ホームネットワークスライスインスタンスに関する第２の機能情報を含有する第２のデータベースへのアクセスを有効にする、請求項１３に記載の方法。
【請求項１５】
第１のセッション管理機能選択要求メッセージを前記第１のデータベースに送信することと、
第１のセッション管理機能選択応答メッセージを受信することであって、前記第１のセッション管理機能は、前記第１のセッション管理機能選択応答メッセージに基づいて選択される、ことと、
前記第１のセッション管理機能に、第２のセッション管理機能選択要求メッセージを前記第２のデータベースに送信させ、その後、第２のセッション管理機能選択応答メッセージを受信させることであって、前記第２のセッション管理機能は、前記第２のセッション管理機能選択応答メッセージに基づいて選択される、ことと
をさらに含む、請求項１４に記載の方法。
【請求項１６】
前記第２のセッション管理機能が、前記要求スライス情報に対応する１つ以上の機能を提供することができないことを判定する場合、前記第２のセッション管理機能に、別のホームネットワークスライスインスタンスと関連付けられた第３のセッション管理機能を選択させることをさらに含む、請求項１５に記載の方法。
【請求項１７】
第１のセッション管理機能選択要求メッセージを前記第１のデータベースに送信することと、
第１のセッション管理機能選択応答メッセージを受信することであって、前記第１のセッション管理機能は、前記第１のセッション管理機能選択応答メッセージに基づいて選択される、ことと、
第２のセッション管理機能選択要求メッセージを前記第２のデータベースに送信することと、
第２のセッション管理機能選択応答メッセージを受信することであって、前記第２のセッション管理機能は、前記第２のセッション管理機能選択応答メッセージに基づいて選択される、ことと
をさらに含む、請求項１４に記載の方法。
【請求項１８】
前記第２のセッション管理機能が、前記要求スライス情報に対応する１つ以上の機能を提供することができないことを判定する場合、前記第２のセッション管理機能に、別のホームネットワークスライスインスタンスと関連付けられた第３のセッション管理機能を選択させることをさらに含む、請求項１７に記載の方法。
【請求項１９】
前記ネットワークスライスインスタンス選択応答メッセージは、前記要求スライス情報と関連付けられたホームネットワークのスライス情報を備える、請求項１１に記載の方法。
【請求項２０】
装置であって、
少なくとも１つのプロセッサと、前記プロセッサに結合されたメモリとを備え、
前記少なくとも１つのプロセッサは、
登録要求をユーザ機器（ＵＥ）デバイスから受信することと、
前記ＵＥデバイスと関連付けられたアクセス場所情報および許可スライス情報を論理ネットワークデータベースに送信することと、
承認スライス情報およびホームネットワークの関連付けられたスライス情報を前記論理ネットワークデータベースから受信することと、
登録承認メッセージを前記ＵＥデバイスに送信することであって、前記登録承認メッセージは、前記承認スライス情報を備える、ことと
を行うように構成されている、装置。
【請求項２１】
前記少なくとも１つのプロセッサはさらに、
更新要求を前記ホームネットワークのサブスクライバデータベースに送信することと、
前記許可スライス情報を前記サブスクライバデータベースから受信することと
を行うように構成されている、請求項２０に記載の装置。
【請求項２２】
前記アクセス場所情報は、前記登録要求とともに受信される、請求項２０に記載の装置。
【請求項２３】
前記アクセス場所情報は、追跡エリア識別子リストを備える、請求項２２に記載の装置。
【請求項２４】
前記登録要求は、前記ＵＥデバイスと関連付けられた構成スライス情報を備え、前記承認スライス情報は、前記構成スライス情報および前記許可スライス情報をサービス提供ネットワークの対応するスライス情報にマッピングし、前記アクセス場所情報によって示されるエリア内でサポートされる共通スライス情報を見出すことによって生成される、請求項２０に記載の装置。
【請求項２５】
前記少なくとも１つのプロセッサはさらに、前記承認スライス情報と関連付けられたネットワークスライスインスタンスを識別する情報を送信するように構成されている、請求項２４に記載の装置。
【請求項２６】
前記ネットワークスライスインスタンスを識別する情報は、サービス提供ネットワークと関連付けられた第１のネットワークスライスインスタンスに関する情報にアクセスするための第１のネットワークアドレスと、前記ホームネットワークと関連付けられた第２のネットワークスライスインスタンスに関する情報にアクセスするための第２のネットワークアドレスとを備える、請求項２５に記載の装置。
【請求項２７】
前記少なくとも１つのプロセッサはさらに、前記承認スライス情報および前記ホームネットワークの関連付けられたスライス情報を前記メモリ内に記憶するように構成されている、請求項２０に記載の装置。
【請求項２８】
前記登録承認メッセージはさらに、前記アクセス場所情報を備える、請求項２０に記載の装置。
【請求項２９】
前記アクセス場所情報は、追跡エリア識別子リストを備える、請求項２７に記載の装置。
【請求項３０】
装置であって、
少なくとも１つのプロセッサと、前記少なくとも１つのプロセッサに結合されたメモリとを備え、
前記少なくとも１つのプロセッサは、
要求スライス情報を無線通信デバイスから受信することと、
ネットワークスライスインスタンス選択要求メッセージを、少なくとも１つのネットワークスライスインスタンスに関する機能情報を維持する第１のデータベースに送信することであって、前記ネットワークスライスインスタンス選択要求メッセージは、前記要求スライス情報と、要求されるデータセッションがホームルーティングされることのインジケーションとを備える、ことと、
ネットワークスライスインスタンス選択応答メッセージを前記第１のデータベースから受信することと、
サービス提供ネットワークスライスインスタンスと関連付けられた第１のセッション管理機能を選択することと、
ホームネットワークスライスインスタンスと関連付けられた第２のセッション管理機能を選択することと
を行うように構成されている、装置。
【請求項３１】
前記少なくとも１つのプロセッサはさらに、前記要求スライス情報をホームネットワークの対応するスライス情報にマッピングするように構成されている、請求項３０に記載の装置。
【請求項３２】
前記ネットワークスライスインスタンス選択応答メッセージは、前記サービス提供ネットワークスライスインスタンスと関連付けられた第１のネットワークアドレスと、前記ホームネットワークスライスインスタンスと関連付けられた第２のネットワークアドレスとを備える、請求項３１に記載の装置。
【請求項３３】
前記第１のネットワークアドレスは、前記サービス提供ネットワークスライスインスタンスに関する第１の機能情報を含有する第１のデータベースへのアクセスを有効にし、前記第２のネットワークアドレスは、前記ホームネットワークスライスインスタンスに関する第２の機能情報を含有する第２のデータベースへのアクセスを有効にする、請求項３２に記載の装置。
【請求項３４】
前記少なくとも１つのプロセッサはさらに、
第１のセッション管理機能選択要求メッセージを前記第１のデータベースに送信することと、
第１のセッション管理機能選択応答メッセージを受信することであって、前記第１のセッション管理機能は、前記第１のセッション管理機能選択応答メッセージに基づいて選択される、ことと、
前記第１のセッション管理機能に、第２のセッション管理機能選択要求メッセージを前記第２のデータベースに送信させ、その後、第２のセッション管理機能選択応答メッセージを受信させることであって、前記第２のセッション管理機能は、前記第２のセッション管理機能選択応答メッセージに基づいて選択される、ことと
を行うように構成されている、請求項３３に記載の装置。
【請求項３５】
前記少なくとも１つのプロセッサはさらに、前記第２のセッション管理機能が、前記要求スライス情報に対応する１つ以上の機能を提供することができないことを判定する場合、前記第２のセッション管理機能に、別のホームネットワークスライスインスタンスと関連付けられた第３のセッション管理機能を選択させるように構成されている、請求項３４に記載の装置。
【請求項３６】
前記少なくとも１つのプロセッサはさらに、
第１のセッション管理機能選択要求メッセージを前記第１のデータベースに送信することと、
第１のセッション管理機能選択応答メッセージを受信することであって、前記第１のセッション管理機能は、前記第１のセッション管理機能選択応答メッセージに基づいて選択される、ことと、
第２のセッション管理機能選択要求メッセージを前記第２のデータベースに送信することと、
第２のセッション管理機能選択応答メッセージを受信することであって、前記第２のセッション管理機能は、前記第２のセッション管理機能選択応答メッセージに基づいて選択される、ことと
を行うように構成されている、請求項３３に記載の装置。
【請求項３７】
前記少なくとも１つのプロセッサはさらに、前記第２のセッション管理機能が、前記要求スライス情報に対応する１つ以上の機能を提供することができないことを判定する場合、前記第２のセッション管理機能に、別のホームネットワークスライスインスタンスと関連付けられた第３のセッション管理機能を選択させるように構成されている、請求項３３に記載の装置。
【請求項３８】
前記ネットワークスライスインスタンス選択応答メッセージは、前記要求スライス情報と関連付けられたホームネットワークのスライス情報を備える、請求項３０に記載の装置。
【発明の詳細な説明】
【技術分野】
【０００１】
（技術分野）
本開示は、概して、無線通信に関し、より具体的には、１つ以上のネットワークスライスインスタンスを選択し、ユーザ機器（ＵＥ）デバイスに配分するためのシステムおよび方法に関する。
【背景技術】
【０００２】
（背景）
デジタルデータのためのアプリケーションおよびサービスの数が、継続して激増するにつれて、ネットワークリソースおよびオペレータに課される需要および課題は、継続して増加するであろう。将来的サービスが要求するであろう、様々なネットワーク性能特性をもたらす能力は、今日、サービスプロバイダが直面する主な技術的課題のうちの１つであろう。ネットワークに課される性能要件は、データレート、待ち時間、ＱＯＳ、セキュリティ、可用性、および多くの他のパラメータの観点から、コネクティビティを要求し、その全ては、サービス毎に変動するであろう。したがって、ネットワークが、フレキシブルな様式でリソースを配分し、異なるタイプのサービス毎に、カスタマイズされたコネクティビティを提供することを可能にすることができるは、ネットワークの能力を大幅に向上させ、将来的需要を満たすであろう。
【０００３】
ネットワークスライシングは、複数の論理ネットワークが共通の共有物理インフラストラクチャから作成されることを可能にする、技法である。ネットワークスライシングの目標は、共通の物理インフラストラクチャ上での仮想的に独立した事業運営として、複数の論理ネットワークの管理を有効にすることである。したがって、例えば、ＡＴ＆Ｔ等のネットワーク運営によって運営される公衆移動通信網（ＰＬＭＮ）等の通信ネットワークは、異なる仮想リソースのセットにパーティション化されることができ、各セットは、異なる目的のために配分され得る、「スライス」と呼ばれる。例えば、スライスは、モバイル仮想ネットワークオペレータ（ＭＶＮＯ）、企業顧客、モノのインターネット（ＩｏＴ）ドメイン、または任意の他の所定のセットのサービスに配分されることができる。加えて、ネットワークスライシングは、異なるサービスプロバイダが、ネットワークおよびコンピューティングリソースの同一の物理セット上で起動する、明確に異なる仮想ネットワークを有することを可能にし、各明確に異なる仮想ネットワークは、特定のタイプのネットワークトラフィックまたはサービスに専用である。ネットワークスライシングのより詳細な説明は、次世代移動通信ネットワーク（ＮＧＭＮ）アライアンスによって提供され、３ＧＰＰ  ＴＲ２３．７９９仕様書の付属Ｂにおいて参照される。
【０００４】
本明細書で使用されるように、用語「ネットワーク」または「通信ネットワーク」は、有線および無線サービスの両方を含み得る、データ通信サービスをネットワーク運営の顧客に提供するために、ネットワークオペレータによって提供されるインフラストラクチャリソースを指す。そのようなネットワークオペレータの実施例は、ＡＴ＆Ｔ、Ｖｅｒｉｚｏｎ、Ｓｐｒｉｎｔ、Ｖｏｄａｆｏｎｅ等を含む。そのようなネットワークは、例えば、コア部分、無線アクセスネットワーク（ＲＡＮ）部分、およびバックホール部分を含み得る。ネットワークはさらに、種々の仮想化されたリソースを備え、当業者によって理解されるであろうように機能し得る。これらのネットワークは、「５Ｇネットワーク」と称される、次世代ネットワーク規格（すなわち、５Ｇ）を採用するため、それらは、下記にさらに詳細に説明されるように、ネットワークスライシングおよび動的再構成が可能になるであろう。
【０００５】
図１は、２つのネットワーク、すなわち、訪問先サービス提供ネットワーク１００と、ユーザ機器（ＵＥ）デバイス１０４のホームネットワーク１２０とに及ぶ、５Ｇ通信システムの例示的従来のアーキテクチャを図示する。訪問先ネットワーク１００およびホームネットワーク１２０は両方とも、例えば、公衆移動通信網（ＰＬＭＮ）であり得る。本例示的シナリオでは、ＵＥデバイス１０４は、そのホームネットワーク１２０から離れてローミングし、訪問先サービス提供ネットワーク１００に位置する。訪問先ネットワークは、アクセスおよびモビリティ管理機能（ＡＭＦ）１０４を含み、これは、ＵＥ１０２が５Ｇランダムアクセスネットワーク（ＲＡＮ）１０６にアクセスすることを可能にする、種々のアクセス管理機能を実施する。訪問先ネットワーク１００はさらに、訪問先セッション管理機能（ｖＳＭＦ）１０８と、訪問先ユーザプレーン機能（ｖＵＰＦ）とを含む。ＡＭＦ１０４は、以下の機能性：登録管理、接続管理、到達可能性管理、およびモビリティ管理を含む。本ＡＭＦ１０４はまた、ＵＥのためのアクセス認証およびアクセス認可機能を実施する。ＡＭＦ１０４はまた、非アクセス層（ＮＡＳ）セキュリティ終端であり、セッション管理（ＳＭ）ＮＡＳをＵＥ１０２とｖＳＭＦ１０８との間等で中継する。当業者は、ＡＭＦ１０４の従来の機能を熟知している。
【０００６】
ｖＳＭＦ１０８は、以下の機能：セッション管理（例えば、セッション確立、修正および解放、ＵＥ  ＩＰアドレス配分および管理（随意の認可機能を含む）、ＵＰ機能の選択および制御、ダウンリンクデータ通知等を実施する。ｖＵＰＦ１１０は、以下の機能性：無線内／間アクセス技術（ＲＡＴ）モビリティのためのアンカポイントとしての役割を果たす、パケットルーティングおよび転送、トラフィック使用報告、ユーザプレーンのためのＱｏＳハンドリング、ダウンリンクパケットバッファリングおよびダウンリンクデータ通知トリガ等を含む。当業者は、ｖＳＭＦ１０８およびｖＵＰＦ１１０の従来の機能を熟知している。
【０００７】
ホームネットワーク１２０は、ホームＳＭＦ１２２を含み、これは、ｖＳＭＦ１０８に関して上記に説明されるものと同一または類似のホームネットワーク１２０のための従来の機能を有する。ホームネットワーク１２０はさらに、ホームＵＰＦ１２４を含み、これは、上記に議論されるｖＵＰＦ１１０と同一または類似の従来の機能性である。少なくとも１つのデータネットワーク１２６もまた、ホームネットワーク１２０内に常駐し、これは、ＵＥ１０２に、ＩＭＳネットワーク、インターネット等のサービスを提供する、ネットワークである。図１は、５Ｇネットワークのインフラストラクチャ、コンポーネント、リソース、および機能の全てではなく、むしろ、本開示に関連する、インフラストラクチャ、コンポーネント、リソース、および機能のサブセットのみを含むことを理解されたい。
【０００８】
本明細書で使用されるように、用語「機能」は、対応する機能を実施するように構成される、ネットワークの１つ以上の物理リソースによって実施される、１つ以上の仮想機能を指す。そのような物理リソースは、単一ネットワーク通信ノード内に共同設置される、または複数のノード間に分散され得る、１つ以上のプロセッサ、コンピュータ、サーバ、メモリ、データベース、通信インターフェース等を含むことができる。当業者は、本明細書で議論される「機能」が、ハードウェア、ファームウェア、ソフトウェア、またはこれらの技法の任意の組み合わせを介して実装され得る方法を熟知しているであろう。
【０００９】
上記に議論されるように、ネットワークスライスは、ネットワーク機能のセットを提供し、あるネットワーク能力およびネットワーク特性を提供するために必要である、対応するネットワークリソースを配分する、完全論理ネットワークである。本明細書で使用されるように、ネットワークスライスインスタンス（ＮＳＩ）は、ネットワークスライスのインスタンス化である。ネットワークスライス選択補助情報（ＮＳＳＡＩ）は、サービスのタイプ（例えば、音声、データ等）、ＱｏＳ等の１つ以上のサービス特徴および／または特性に対応する、１つ以上のネットワークスライスを識別するために使用され得る、情報を指す。典型的には、ＮＳＳＡＩは、具体的または単一のＮＳＳＡＩ（Ｓ−ＮＳＳＡＩ）の集合である。Ｓ−ＮＳＳＡＩは、具体的要求されるサービスを提供し、したがって、特定のタイプのセッション（例えば、音声コール）をサポートし得る、具体的ネットワークスライスを識別する。Ｓ−ＮＳＳＡＩは、（１）特徴およびサービスの観点から、予期されるネットワークスライス挙動を指す、スライス／サービスタイプ（ＳＳＴ）と、（２）ＳＳＴタイプを補完し、ネットワークスライスインスタンスを、全て示されるＳＳＴに準拠する、潜在的に複数のネットワークスライスインスタンスから選択するためのさらなる区別を可能にする、随意の情報である、スライス差別化要因（ＳＤ）とを含むことができる。ＮＳＳＡＩおよびＳ−ＮＳＳＡＩは両方とも、概して、本明細書では、「スライス情報」と称される。
【００１０】
典型的には、ＵＥ１０２は、ホームネットワーク１２０から受信された構成ＮＳＳＡＩを記憶し、訪問先ネットワーク１００に登録される場合、ＵＥはまた、訪問先ネットワーク１００から受信された「承認ＮＳＳＡＩ」を記憶する。構成ＮＳＳＡＩは、ネットワーク特有の承認ＮＳＳＡＩがＵＥ内に記憶されていないとき、ホームネットワーク１２０によって、訪問先ネットワーク（例えば、訪問先ＰＬＭＮ１００）において使用されるために、ＵＥにおいて構成される。承認ＮＳＳＡＩは、登録プロシージャの間、訪問先ネットワーク（例えば、訪問先ＰＬＭＮ１００）によってＵＥに提供される、ＮＳＳＡＩであり、ＵＥは、その後、次回、訪問先ネットワークとの登録プロシージャが、実施されるまで、承認ＮＳＳＡＩを訪問先ネットワーク内で使用する。しかしながら、承認ＮＳＳＡＩは、訪問先ネットワークに特有であるため、図１に描写されるようなＵＥローミングシナリオでは、エンドツーエンドサービスをＵＥ１０２に提供するために、承認ＮＳＳＡＩをホームネットワーク１２０の１つ以上のネットワークスライスに配分する方法は、不明瞭である。
【００１１】
さらに、訪問先ネットワーク１００への登録が完了後、例えば、後続パケットデータユニット（ＰＤＵ）セッション確立プロシージャの間、ＵＥ１０２は、要求Ｓ−ＮＳＳＡＩをＡＭＦ１０４に提供するであろう。要求Ｓ−ＮＳＳＡＩは、登録の間、ＵＥ１０２内に以前に記憶された承認ＮＳＳＡＩのサブセットであり、ＵＥ１０２によって要求されるセッションまたはサービスの具体的タイプに対応する。非ローミングシナリオに関して、ＡＭＦ１０４は、要求Ｓ−ＮＳＳＡＩ、データネットワーク名（ＤＮＮ）、および他の情報に基づいて、ネットワークスライスインスタンス（ＮＳＩ）内のセッション管理機能（ＳＭＦ）を選択する。ローミングシナリオに関して、ＵＥの要求Ｓ−ＮＳＳＡＩが訪問先ネットワーク１００に特有であるため、要求Ｓ−ＮＳＳＡＩを訪問先ネットワーク１００およびホームネットワーク１２の両方にマッピングする方法は、不明瞭である。
【発明の概要】
【課題を解決するための手段】
【００１２】
（発明の要約）
本明細書に開示される例示的実施形態は、先行技術に提示される問題のうちの１つ以上に関連する問題を解決し、かつ添付の図面と関連して検討されるときに以下の発明を実施するための形態を参照することによって容易に明白であろう、付加的特徴を提供することを対象とする。種々の実施形態によると、例示的システム、方法、デバイス、およびコンピュータプログラム製品が、本明細書に開示される。しかしながら、これらの実施形態は、限定ではなく、一例として提示されることが理解され、開示される実施形態に対する種々の修正が、本発明の範囲内に留まったまま行われることができることが、本開示を熟読する当業者に明白となるであろう。
【００１３】
一実施形態では、方法は、登録要求をユーザ機器（ＵＥ）デバイスから受信することと、ＵＥデバイスと関連付けられたアクセス場所情報および許可スライス情報を論理ネットワークデータベースに送信することと、承認スライス情報およびホームネットワークの関連付けられたスライス情報を論理ネットワークデータベースから受信することと、登録承認メッセージをＵＥデバイスに送信することであって、登録承認メッセージは、承認スライス情報を備える、こととを含む。
【００１４】
さらなる実施形態では、方法は、要求スライス情報を無線通信デバイスから受信することと、ネットワークスライスインスタンス選択要求メッセージを、少なくとも１つのネットワークスライスインスタンスに関する機能情報を維持する第１のデータベースに送信することであって、ネットワークスライスインスタンス選択要求メッセージは、要求スライス情報と、要求されるデータセッションがホームルーティングされることのインジケーションとを備える、ことと、ネットワークスライスインスタンス選択応答メッセージを第１のデータベースから受信することと、サービス提供ネットワークスライスインスタンスと関連付けられた第１のセッション管理機能を選択することと、ホームネットワークスライスインスタンスと関連付けられた第２のセッション管理機能を選択することとを含む。
【００１５】
別の実施形態では、装置は、少なくとも１つのプロセッサと、プロセッサに結合されるメモリとを含み、少なくとも１つのプロセッサは、登録要求をユーザ機器（ＵＥ）デバイスから受信することと、ＵＥデバイスと関連付けられたアクセス場所情報および許可スライス情報を論理ネットワークデータベースに送信することと、承認スライス情報およびホームネットワークの関連付けられたスライス情報を論理ネットワークデータベースから受信することと、登録承認メッセージをＵＥデバイスに送信することであって、登録承認メッセージは、承認スライス情報を備える、こととを行うように構成される。
【００１６】
さらに別の実施形態では、装置は、少なくとも１つのプロセッサと、少なくとも１つのプロセッサに結合されるメモリとを含み、少なくとも１つのプロセッサは、要求スライス情報を無線通信デバイスから受信することと、ネットワークスライスインスタンス選択要求メッセージを、少なくとも１つのネットワークスライスインスタンスに関する機能情報を維持する第１のデータベースに送信することであって、ネットワークスライスインスタンス選択要求メッセージは、要求スライス情報と、要求されるデータセッションがホームルーティングされることのインジケーションとを備える、ことと、ネットワークスライスインスタンス選択応答メッセージを第１のデータベースから受信することと、サービス提供ネットワークスライスインスタンスと関連付けられた第１のセッション管理機能を選択することと、ホームネットワークスライスインスタンスと関連付けられた第２のセッション管理機能を選択することとを行うように構成される。
【００１７】
本発明の種々の例示的実施形態は、以下の図を参照して下記に詳細に説明される。図面は、例証目的のためだけに提供され、単に、本発明の読者の理解を促進するための本発明の例示的実施形態を描写する。したがって、本明細書に提示される図面は、本発明の範疇、範囲、または可用性の限定と見なされるべきではない。また、明確にするため、かつ例証の容易性のため、図面は、必ずしも、正確な縮尺で描かれていないことに留意されたい。
【図面の簡単な説明】
【００１８】
【図１】図１は、２つのネットワークを備える、従来の５Ｇ通信システムを図示する。
【００１９】
【図２】図２は、本発明の一実施形態による、訪問先サービス提供ネットワーク内でＵＥ登録を実施する方法を図示する。
【００２０】
【図３】図３は、本発明の一実施形態による、訪問先ネットワークおよびホームネットワークにわたってパケットデータユニット（ＰＤＵ）セッションを確立する方法を図示する。
【００２１】
【図４】図４は、本発明の別の実施形態による、訪問先ネットワークおよびホームネットワークにわたってＰＤＵセッション確立を確立する方法を図示する。
【００２２】
【図５】図５は、本発明のさらなる実施形態による、ホームネットワークの第１のセッション管理機能と第２のセッション管理機能との間で実施される、パケットデータユニット（ＰＤＵ）セッションを確立する方法を図示する。
【発明を実施するための形態】
【００２３】
（例示的実施形態の詳細な説明）
本発明の種々の例示的実施形態は、当業者が本発明を作製および使用することを可能にするために、付随の図を参照して下記に説明される。当業者に明白となるであろうように、本開示を熟読後、本明細書に説明される実施例の種々の変更または修正が、本発明の範囲から逸脱することなく、行われることができる。したがって、本発明は、本明細書に説明および図示される例示的実施形態および用途に限定されない。加えて、本明細書に開示される方法におけるステップの具体的順序または階層は、単に、例示的アプローチである。設計選好に基づいて、開示される方法またはプロセスのステップの具体的順序または階層は、本発明の範囲内に留まったまま、並べ替えられることができる。したがって、当業者は、本明細書に開示される方法および技法が、種々のステップまたは行為をサンプル順序において提示し、本発明が、明示的にそうではないことが述べられない限り、提示される具体的順序または階層に限定されないことを理解するであろう。
【００２４】
下記に説明されるように、図２−５に図示される動作は、ＵＥ、ＡＭＦ、ＵＰＦ等（物理または仮想形態のいずれか）の機能エンティティを指し得、これは、従来の５Ｇ通信システムに関して上記で述べられたものに類似する。しかしながら、当業者によって理解されるであろうように、そのような従来の機能エンティティは、下記に説明される機能を実施せず、したがって、下記に説明される動作のうちの１つ以上を実施するように修正または具体的に構成される必要があるであろう。加えて、当業者は、本開示を熟読後、機能エンティティを本明細書に説明される動作を実施するように構成することが可能になるであろう。用語「構成される」は、規定された動作または機能に関して本明細書で使用されるように、規定された動作または機能を実施するように物理または仮想的に構築、プログラム、および／または配列される、システム、デバイス、コンポーネント、回路、構造、機械等を指す。
【００２５】
図２は、一実施形態による、訪問先ネットワーク内のＵＥ登録の方法を図示する。動作１では、ＵＥ２０１は、登録要求を訪問先ネットワーク（例えば、ＰＬＭＮ１００）に位置するＡＭＦ２０３に送信する。いくつかの実施形態では、本登録要求は、サブスクライバ恒久識別子（ＳＵＰＩ）または一時ユーザＩＤ、構成ＮＳＳＡＩ、および他の情報を含むことができる。ＵＥ２０１からの登録要求の検出に応じて、５Ｇ  ＲＡＮ１０６は、アクセス場所情報を登録要求とともにＡＭＦ２０３に送信する。いくつかの実施形態では、一時ユーザＩＤが、使用される場合、ＡＭＦ２０３は、ＵＥコンテキストを取得し、これは、一時ユーザＩＤに基づく、少なくともＵＥセキュリティコンテキスト、登録コンテキスト等を含む。
【００２６】
次に、動作２では、ＡＭＦ２０３は、認証プロシージャを実施してもよい。認証プロシージャが成功する場合、ＡＭＦ２０３は、場所更新要求（ＬＵＲ）をホームネットワーク１２０と関連付けられたユーザデータ管理（ＵＤＭ）データベース２０７に送信する。一実施形態では、ＵＤＭデータベース２０７は、ホームネットワーク１２０によって維持される、サブスクライバデータベースであってもよく、これは、ホームネットワークのオペレータと確立されるユーザのアカウントと関連付けられた全てのサービス、特徴、およびパラメータを定義する。動作３では、ＵＤＭ２０７は、ＵＥ２０１と関連付けられたサブスクリプションデータを含むＬＵＲ応答メッセージをＡＭＦ２０３に送信する。いくつかの実施形態では、サブスクリプションデータは、ホームネットワーク１２０に特有の許可ＮＳＳＡＩを含む。いくつかの実施形態による、許可ＮＳＳＡＩは、ホームネットワーク１２０と関連付けられたＮＳＳＡＩの最新バージョンであり、ＵＥ１０２内に以前に記憶された構成ＮＳＳＡＩと比較して、付加的、異なる、または改訂されたサービスパラメータおよび特性を含有し得る。
【００２７】
次に、動作４では、ＡＭＦ２０３は、ＵＥ２０１の現在の場所に基づいて、一時ユーザ識別および追跡エリア識別子（ＴＡＩ）リストを配分する。動作４では、ＡＭＦ２０３は、承認ＮＳＳＡＩ要求をネットワークスライスリポジトリ機能（ＮＳＲＦ）２０５に送信する。ＮＳＲＦは、１つのネットワーク（例えば、ＰＬＭＮ）と関連付けられたネットワークスライスインスタンス（ＮＳＩ）トポロジを維持し、ＮＳＩ選択サービスを要求側ネットワーク機能に提供する、データベースおよび機能である。いくつかの実施形態では、ＮＳＲＦ２０５に送信される承認ＮＳＳＡＩ要求は、追跡エリア識別子（ＴＡＩ）リスト、ＵＥから受信された構成ＮＳＳＡＩ、およびＵＤＭから受信された許可ＮＳＳＡＩを含む。次に、動作５では、ＮＳＲＦ２０５は、承認ＮＳＳＡＩ応答メッセージを生成し、応答メッセージをＡＭＦ２０３に返信する。
【００２８】
いくつかの実施形態では、ＮＳＲＦ２０５は、以下のように、（１）構成ＮＳＳＡＩおよび許可ＮＳＳＡＩをサービス提供ネットワークの対応するＮＳＳＡＩにマッピングし、（２）共通ＮＳＳＡＩをマッピングされた構成ＮＳＳＡＩおよびマッピングされた許可ＮＳＳＡＩから見出し、（３）ＴＡＩリストによって示されるエリア内でサポートされる、共通ＮＳＳＡＩ内の承認ＮＳＳＡＩを生成することで承認ＮＳＳＡＩを生成する。ＮＳＲＦ２０５は、次いで、承認ＮＳＳＡＩ応答をＡＭＦ２０３に送信する。いくつかの実施形態では、承認ＮＳＳＡＩ応答は、生成された承認ＮＳＳＡＩおよびホームネットワーク１２０の関連付けられたＮＳＳＡＩを含む。いくつかの実施形態では、ホームネットワーク１２０の関連付けられたＮＳＳＡＩは、ユーザが２つのネットワーク間でローミングするとき、あるサービスに関するシームレスなエンドツーエンドコネクティビティを提供する試みとして、訪問先ネットワーク１００およびホームネットワーク１２０の個別のオペレータ間の相互合意によって事前に判定されてもよい。
【００２９】
いくつかの実施形態では、承認ＮＳＳＡＩ応答メッセージはさらに、ＮＳＩのネットワーク機能リポジトリ機能（ＮＦＲＦ）アドレス等の承認ＮＳＳＡＩと関連付けられたＮＳＩを識別またはポインティングする情報を含んでもよい。概して、ＮＦＲＦは、ネットワーク機能トポロジをＮＳＩ内に維持し、ネットワーク機能発見サービスを他のネットワーク機能に提供する、データベースおよび機能である。例えば、ＰＤＵセッション確立の間、ＡＭＦ２０３は、ＮＦＲＦに照会することができ、ＮＦＲＦは、ＮＳＩのＳＭＦアドレスで返信するであろう。ＮＳＩが、訪問先ネットワーク１００のサブセット（例えば、ｖＰＬＭＮサブセット）およびホームネットワーク１２０のサブセット（例えば、ｈＰＬＭＮサブセット）の両方を含む、完全論理ネットワークである場合、ＮＳＲＦ２０５は、訪問先ネットワーク１００と関連付けられたｖＮＦＲＦアドレスおよびホームネットワーク１２０と関連付けられたｈＮＦＲＦアドレスの両方で応答してもよい。次に、動作６では、ＡＭＦは、承認ＮＳＳＡＩおよびホームネットワーク１２０の関連付けられたＮＳＳＡＩを記憶する。ＮＳＩのＮＦＲＦアドレスもまた、受信される場合、ＡＭＦ２０３はまた、それを記憶する。その後、ＡＭＦ２０３は、５Ｇ  ＲＡＮ１０６を介して、登録承認応答メッセージをＵＥ２０１に送信する。いくつかの実施形態では、本メッセージは、一時ユーザ識別、ＴＡＩリスト、および承認ＮＳＳＡＩを含む。ＵＥ２０１は、将来的使用のために、承認ＮＳＳＡＩを記憶し、例えば、ＰＤＵセッション等のデータセッションを確立する。
【００３０】
図３は、本発明の一実施形態による、訪問先ネットワーク１００およびホームネットワーク１２０の両方にわたってＰＤＵセッションを確立する方法を図示する。第１の動作では、ＵＥ２０１は、ＳＭ  ＮＡＳ  ＰＤＵセッション確立メッセージをＡＭＦ２０３に送信する。いくつかの実施形態では、本メッセージは、要求Ｓ−ＮＳＳＡＩ、データネットワーク名（ＤＮＮ）、および他のセッション関連情報を含む。一実施形態では、ＡＭＦ２０３が、要求Ｓ−ＮＳＳＡＩに対応するＮＳＩ情報をすでに有する場合、ＡＭＦ２０３は、対応するＮＳＩを選択し、次いで、下記に説明されるように、動作４に進む。ＡＭＦが、要求Ｓ−ＮＳＳＡＩに対応するＮＳＩ情報を有していない場合、動作２では、ＡＭＦ２０３は、ＮＳＩ選択要求メッセージをＮＳＲＦ２０５に送信する。いくつかの実施形態では、本要求メッセージは、要求Ｓ−ＮＳＳＡＩおよび要求ＰＤＵセッションがホームルーティングであるかどうかのインジケーションを含む。本明細書で使用されるように、「ホームルーティング」は、ユーザトラフィックが、その最終目的地に到達する前に、訪問先サービス提供ネットワーク１００からＵＥのホームネットワーク１２０を通してルーティングされることを意味する。同様に、訪問先サービス提供ネットワーク１００にアタッチされるＵＥへの任意の着信トラフィックも、ＵＥのホームネットワーク１２０から生じるであろう。そのような「ホームルーティング」セッションは、ホームネットワークが、例えば、サービスの品質および正確な請求を確実にする目的のために、利用されるサービスのタイプ、データ使用、セッション長、ＱｏＳ等のサブスクライバパラメータを追跡および管理することを可能にする。
【００３１】
次に、動作３では、ＮＳＲＦ２０５は、１つのＮＳＩを選択し、ＡＭＦ２０３にＮＳＩ選択応答メッセージで応答する。本メッセージは、訪問先サービス提供ネットワーク内のｖＮＦＲＦアドレス等の選択ＮＳＩ情報を含む。ＰＤＵセッションが、ホームルーティングされる場合、本メッセージはまた、ホームネットワーク内のｈＮＦＲＦアドレスを含む。動作４では、ＡＭＦ２０３は、ＳＭＦ選択要求を選択ＮＳＩのｖＮＦＲＦ２０９に送信する。いくつかの実施形態では、本メッセージは、「ＳＭＦ」として設定されたネットワーク機能タイプ、現在のＵＥ場所を含み、また、要求Ｓ−ＮＳＳＡＩを含んでもよい。次に、動作５では、ｖＮＦＲＦ２０９は、１つのｖＳＭＦ２１１を選択し、ＡＭＦにｖＳＭＦ選択応答で応答する。本メッセージは、選択ｖＳＭＦ２１１のアドレスを含む。動作６では、ＡＭＦ２０３は、ＵＥから受信されたＳＭ  ＮＡＳ  ＰＤＵセッション確立メッセージを選択ｖＳＭＦ２１１に転送する。ＰＤＵセッションが、ホームルーティングされる場合、ＡＭＦ２０３は、要求Ｓ−ＮＳＳＡＩをホームネットワークの関連付けられたＳ−ＮＳＳＡＩにマッピングし、メッセージは、ホームネットワークのマッピングされたＳ−ＮＳＳＡＩおよび選択ＮＳＩのｈＮＦＲＦアドレスを含む。
【００３２】
次に、動作７では、ＰＤＵセッションが、ホームルーティングされる場合、ｖＳＭＦ２１１はさらに、ＳＭＦ選択要求をｈＮＦＲＦ２１３に送信する。本要求メッセージは、「ＳＭＦ」として設定されたネットワーク機能タイプおよびホームネットワークの関連付けられたＳ−ＮＳＳＡＩを含む。動作８では、ｈＮＦＲＦ２１３は、ホームネットワーク内の１つのｈＳＭＦ２１５を選択し、ｖＳＭＦ２１１にＳＭＦ選択応答で応答し、これは、選択ＳＭＦのアドレスを含む。動作９では、ｖＳＭＦ２１１は、ＡＭＦ２０３から受信されたＳＭ  ＮＡＳ  ＰＤＵセッション確立メッセージをｈＳＭＦ２１５に転送し、これは、本発明の種々の実施形態によると、要求Ｓ−ＮＳＳＡＩからマッピングされたホームネットワークの関連付けられたＳ−ＮＳＳＡＩを含む。動作１０では、ＰＤＵセッション確立のための残りのステップは、従来の技法に従って実施される。
【００３３】
図４は、本発明の別の実施形態による、訪問先ネットワーク１００およびホームネットワーク１２０の両方にわたってＰＤＵセッションを確立する方法を図示する。図４に示されるように、動作１−５は、図３に関して上記に説明される動作１−５に実質的に類似する。したがって、簡潔にする目的のために、これらの動作の説明は、ここでは繰り返されない。
【００３４】
動作６では、ＰＤＵセッションが、ホームルーティングされる場合、ＡＭＦは、要求Ｓ−ＮＳＳＡＩをホームネットワークの対応する−ＮＳＳＡＩにマッピングし、さらに、ＳＭＦ選択要求をｈＮＦＲＦ２１３送信する（本要求を送信するｖＳＭＦ２１１とは対照的に）。いくつかの実施形態によると、本要求メッセージは、「ＳＭＦ」として設定されたネットワーク機能タイプを含み、また、ホームネットワークのマッピングされたＳ−ＮＳＳＡＩを含んでもよい。動作７では、ｈＮＦＲＦ２１３は、ホームネットワーク内の１つのｈＳＭＦ２１５を選択し、ＳＭＦ選択応答で応答し、これは、選択ｈＳＭＦ２１５のアドレスを含む。動作８では、ＡＭＦ２０３は、ＵＥから受信されたＳＭ  ＮＡＳ  ＰＤＵセッション確立メッセージを選択ｖＳＭＦ２１１に転送する。ＰＤＵセッションが、ホームルーティングされる場合、メッセージはまた、ホームネットワークのマッピングされたＳ−ＮＳＳＡＩおよび選択ＮＳＩのｈＳＭＦアドレスを含む。動作９では、ｖＳＭＦ２１１は、ＡＭＦ２０３から受信されたＳＭ  ＮＡＳ  ＰＤＵセッション確立メッセージを転送し、これは、要求Ｓ−ＮＳＳＡＩからマッピングされたホームネットワークのＳ−ＮＳＳＡＩを含む。動作１０では、ＰＤＵセッション確立のための残りのステップは、従来の技法に従って実施される。
【００３５】
図５は、本発明のさらなる実施形態による、ＰＤＵセッションを第１のホームネットワークサブスライスから第２のホームネットワークサブスライスに通過させる方法を図示する。動作１では、ＡＭＦ２０３またはｖＳＭＦ２１１が、ＳＭＦ選択要求をｈＮＦＲＦ２１３に送信する。図５のステップ１は、図３の動作７または図４の動作６のいずれかに対応することに留意されたい。いくつかの実施形態では、本要求メッセージは、「ＳＭＦ」として設定されたネットワーク機能タイプを含み、また、ホームネットワークのＳ−ＮＳＳＡＩを含んでもよい。次に、動作２では、第１のホームサブスライス５０１と関連付けられたｈＮＦＲＦ２１３は、ホームネットワークの第１のサブスライス５０１内の１つのｈＳＭＦ１２１５を選択し、ＳＭＦ選択応答で応答すし、これは、選択ｈＳＭＦ１２１５のアドレスを含む。動作３では、ＡＭＦ２０３またはｖＳＭＦ２１１が、ＳＭ  ＮＡＳ  ＰＤＵセッション確立メッセージを選択ｈＳＭＦ１２１５に転送し、これはまた、要求Ｓ−ＮＳＳＡＩからマッピングされたホームネットワークのマッピングされたＳ−ＮＳＳＡＩを含む。
【００３６】
次に、動作４では、ｈＳＭＦ１  ２１５は、種々の理由のうちの１つから、Ｓ−ＮＳＳＡＩにサービス提供するために適切ではないことを検出し得る。この場合、ｈＳＭＦ１は、ホームネットワーク１２０のｈＮＳＲＦ５０２に照会し、別のＮＳＩを選択してもよい。その後、ｈＳＭＦ１  ２１５は、ＮＳＩ選択要求メッセージをｈＮＳＲＦ５０２に送信する。本ＮＳＩ選択要求メッセージは、ホームネットワークのマッピングされたＳ−ＮＳＳＡＩを含む。次に、動作５では、受信された情報を考慮して、ｈＮＳＲＦ５０２は、１つのＮＳＩを選択し、ＮＳＩ選択応答メッセージで応答し、これは、第２のホームサブスライス５０３と関連付けられた選択ＮＳＩのｈＮＦＲＦ２  ５０５のアドレスを含む。次に、動作６では、ｈＳＭＦ１  ２１５はさらに、ＳＭＦ選択要求をｈＮＦＲＦ２  ５０５に送信し、これは、「ＳＭＦ」として設定されたネットワーク機能タイプを含み、また、ホームネットワークの関連付けられたＳ−ＮＳＳＡＩを含んでもよい。動作７では、ｈＮＦＲＦ２  ５０５は、１つのｈＳＭＦ２を選択し、ＳＭＦ選択応答で応答し、これは、選択ｈＳＭＦ２  ５０７のアドレスを含む。動作８では、ｈＳＭＦ１  ２１５は、ＡＭＦ２０３またはｖＳＭＦ２１１から受信されたＰＤＵセッション確立メッセージをｈＳＭＦ２  ５０７に転送する。動作９では、ＰＤＵセッション確立のための残りのステップは、従来の技法に従って実施される。
【００３７】
本発明の種々の実施形態が、上記に説明されたが、それらは、限定としてではなく、実施例としてのみ提示されている。同様に、種々の略図は、例示的アーキテクチャまたは構成を描写し得、これは、当業者が、本発明の例示的特徴および機能を理解することを可能にするために提供される。しかしながら、そのような当業者は、本発明は、図示される例示的アーキテクチャまたは構成に制限されず、種々の代替アーキテクチャおよび構成を使用して実装されることができることを理解するであろう。加えて、当業者によって理解されるであろうように、一実施形態の１つ以上の特徴は、本明細書に説明される別の実施形態の１つ以上の特徴と組み合わせられることができる。したがって、本開示の範疇および範囲は、上記に説明される例示的実施形態によって限定されない。
【００３８】
加えて、「第１」、「第２」等の指定を使用した本明細書における要素の任意の参照は、概して、それらの要素量または順序を限定するものではない。むしろ、これらの指定は、本明細書では、２つ以上の要素または要素のインスタンス間で区別する便宜的手段として使用される。したがって、第１および第２の要素の参照は、２つのみの要素が存在し得る、または第１の要素がある様式において、第２の要素に先行しなければならないことを意味するものではない。
【００３９】
加えて、当業者は、情報および信号が種々の異なる技術および技法のいずれかを使用して表されることができることを理解するであろう。上記の説明において参照され得る、例えば、データ、命令、コマンド、情報、信号、ビット、およびシンボルは、例えば、電圧、電流、電磁波、磁場または粒子、光場または粒子、もしくは任意のそれらの組み合わせによって表されることができる。
【００４０】
当業者はさらに、本明細書に開示される側面に関連して説明される、種々の例証的論理ブロック、モジュール、プロセッサ、手段、回路、方法、および機能のいずれかが、電子ハードウェア（例えば、デジタル実装、アナログ実装、またはその２つの組み合わせ）、ファームウェア、ソフトウェア、もしくはこれらの技法の任意の組み合わせによって実装されることができることを理解するであろう。ハードウェア、ファームウェア、およびソフトウェアの本可換性を明確に図示するために、種々の例証的コンポーネント、ブロック、モジュール、回路、およびステップは、概して、その機能性の観点から上記に説明されている。そのような機能性が、ハードウェア、ファームウェア、またはソフトウェア、またはこれらの技法の組み合わせとして実装されるかどうかは、特定の用途および全体的システム上に課される設計制約に依存する。当業者は、説明される機能性を特定の用途毎に種々の方法で実装することができるが、そのような実装は、本開示の範囲からの逸脱を生じさせるものではないであろう。
【００４１】
さらに、当業者は、本明細書に説明される種々の例証的論理ブロック、モジュール、デバイス、コンポーネント、および回路が、汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブル論理デバイス、もしくはこれらの実装の任意の組み合わせを含み得る、集積回路（ＩＣ）内に実装される、またはそれによって実施されることができることを理解するであろう。論理ブロック、モジュール、および回路はさらに、アンテナおよび／または送受信機を含み、ネットワークまたはデバイス内の種々のコンポーネントと通信することができる。汎用プロセッサは、マイクロプロセッサであることができるが、代替として、プロセッサは、任意の従来のプロセッサ、コントローラ、または状態機械であることができる。プロセッサはまた、コンピューティングデバイス、例えば、ＤＳＰおよびマイクロプロセッサ、複数のマイクロプロセッサ、ＤＳＰコアと併せた１つ以上のマイクロプロセッサの組み合わせ、または本明細書に説明される機能を実施するための任意の他の好適な構成の組み合わせとして実装されることができる。
【００４２】
ソフトウェア内に実装される場合、機能は、１つ以上の命令またはコードとして、コンピュータ可読媒体上に記憶されることができる。したがって、本明細書に開示される方法またはアルゴリズムのステップは、コンピュータ可読媒体上に記憶されるソフトウェアを実行することによって実装されることができる。コンピュータ可読媒体は、コンピュータ記憶媒体および通信媒体の両方を含み、コンピュータプログラムまたはコードを１つの場所から別の場所に転送するように可能にされ得る、任意の媒体を含む。記憶媒体は、コンピュータによってアクセスされ得る、任意の利用可能な媒体であることができる。限定ではなく、一例として、そのようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、もしくは所望のプログラムコードを命令またはデータ構造の形態で記憶することができ、かつコンピュータによってアクセスされ得る、任意の他の媒体を含むことができる。
【００４３】
本書では、用語「モジュール」または「ユニット」は、本明細書で使用されるように、ソフトウェア、ファームウェア、ハードウェア、および本明細書に説明される関連付けられた機能を実施するためのこれらの要素の任意の組み合わせを指す。加えて、議論の目的のために、種々のモジュールまたはユニットは、離散モジュールまたはユニットとして説明される。しかしながら、当業者に明白となるであろうように、２つ以上のモジュールまたはユニットが、組み合わせられ、本発明の実施形態に従って関連付けられた機能を実施する、単一モジュールまたはユニットを形成してもよい。
【００４４】
加えて、メモリまたは他の記憶装置ならびに通信コンポーネントが、本発明の実施形態において採用されてもよい。明確にする目的のために、上記の説明は、異なる機能ユニットおよびプロセッサを参照して本発明の実施形態を説明していることを理解されたい。しかしながら、異なる機能ユニット、処理論理要素、またはドメイン間の機能性の任意の好適な分布が、本発明から逸脱することなく使用されてもよいことが明白であろう。例えば、別個の処理論理要素またはコントローラによって実施されるように例証される機能性は、同一処理論理要素またはコントローラによって実施されてもよい。故に、具体的機能ユニットの参照は、厳密な論理または物理構造もしくは編成を示すのではなく、説明される機能性を提供するための好適な手段の参照にすぎない。
【００４５】
本開示に説明される実装の種々の修正が、当業者に容易に明白となり、本明細書に定義された一般的原理は、本開示の範囲から逸脱することなく、他の実装に適用されることができる。したがって、本開示は、本明細書に示される実装に限定されることを意図するものではなく、下記の請求項において制限されるように、本明細書に開示される新規特徴および原理と一致する最広範囲と見なされる。
【図１】
2020516165.tif 000003
【図２】
2020516165.tif 000004
【図３】
2020516165.tif 000005
【図４】
2020516165.tif 000006
【図５】
2020516165.tif 000007
【手続補正書】
【提出日】令和1年11月27日(2019.11.27)
【手続補正１】
【補正対象書類名】特許請求の範囲
【補正対象項目名】全文
【補正方法】変更
【補正の内容】
【特許請求の範囲】
【請求項１】
方法であって、
登録要求をユーザ機器（ＵＥ）デバイスから受信することと、
前記ＵＥデバイスと関連付けられたアクセス場所情報および許可スライス情報を論理ネットワークデータベースに送信することと、
承認スライス情報およびホームネットワークの関連付けられたスライス情報を前記論理ネットワークデータベースから受信することと、
登録承認メッセージを前記ＵＥデバイスに送信することであって、前記登録承認メッセージは、前記承認スライス情報を備える、ことと
を含む、方法。
【請求項２】
更新要求を前記ホームネットワークのサブスクライバデータベースに送信することと、
前記許可スライス情報を前記サブスクライバデータベースから受信することと
をさらに含む、請求項１に記載の方法。
【請求項３】
前記登録要求は、前記ＵＥデバイスと関連付けられた構成スライス情報を備え、前記承認スライス情報は、前記構成スライス情報および前記許可スライス情報をサービス提供ネットワークの対応するスライス情報にマッピングし、前記アクセス場所情報によって示されるエリア内でサポートされる共通スライス情報を見出すことによって生成される、請求項１に記載の方法。
【請求項４】
前記承認スライス情報と関連付けられたネットワークスライスインスタンスを識別する情報を受信することをさらに含む、請求項３に記載の方法。
【請求項５】
方法であって、
要求スライス情報を無線通信デバイスから受信することと、
ネットワークスライスインスタンス選択要求メッセージを、少なくとも１つのネットワークスライスインスタンスに関する機能情報を維持する第１のデータベースに送信することであって、前記ネットワークスライスインスタンス選択要求メッセージは、前記要求スライス情報と、要求されるデータセッションがホームルーティングされることのインジケーションとを備える、ことと、
ネットワークスライスインスタンス選択応答メッセージを前記第１のデータベースから受信することと、
サービス提供ネットワークスライスインスタンスと関連付けられた第１のセッション管理機能を選択することと、
ホームネットワークスライスインスタンスと関連付けられた第２のセッション管理機能を選択することと
を含む、方法。
【請求項６】
第１のセッション管理機能選択要求メッセージを前記第１のデータベースに送信することと、
第１のセッション管理機能選択応答メッセージを受信することであって、前記第１のセッション管理機能は、前記第１のセッション管理機能選択応答メッセージに基づいて選択される、ことと、
第２のセッション管理機能選択要求メッセージを第２のデータベースに送信されることを可能にすることと、
第２のセッション管理機能選択応答メッセージを受信することであって、前記第２のセッション管理機能は、前記第２のセッション管理機能選択応答メッセージに基づいて選択される、ことと
をさらに含む、請求項５に記載の方法。
【請求項７】
前記ネットワークスライスインスタンス選択応答メッセージは、前記要求スライス情報と関連付けられたホームネットワークのスライス情報を備える、請求項５に記載の方法。
【請求項８】
装置であって、
少なくとも１つのプロセッサと、前記少なくとも１つのプロセッサに結合されたメモリとを備え、
前記少なくとも１つのプロセッサは、
要求スライス情報を無線通信デバイスから受信することと、
ネットワークスライスインスタンス選択要求メッセージを、少なくとも１つのネットワークスライスインスタンスに関する機能情報を維持する第１のデータベースに送信することであって、前記ネットワークスライスインスタンス選択要求メッセージは、前記要求スライス情報と、要求されるデータセッションがホームルーティングされることのインジケーションとを備える、ことと、
ネットワークスライスインスタンス選択応答メッセージを前記第１のデータベースから受信することと、
サービス提供ネットワークスライスインスタンスと関連付けられた第１のセッション管理機能を選択することと、
ホームネットワークスライスインスタンスと関連付けられた第２のセッション管理機能を選択することと
を行うように構成されている、装置。
【請求項９】
前記少なくとも１つのプロセッサはさらに、
第１のセッション管理機能選択要求メッセージを前記第１のデータベースに送信することと、
第１のセッション管理機能選択応答メッセージを受信することであって、前記第１のセッション管理機能は、前記第１のセッション管理機能選択応答メッセージに基づいて選択される、ことと、
第２のセッション管理機能選択要求メッセージを第２のデータベースに送信されることを可能にすることと、
第２のセッション管理機能選択応答メッセージを受信することであって、前記第２のセッション管理機能は、前記第２のセッション管理機能選択応答メッセージに基づいて選択される、ことと
を行うように構成されている、請求項８に記載の装置。
【請求項１０】
前記ネットワークスライスインスタンス選択応答メッセージは、前記要求スライス情報と関連付けられたホームネットワークのスライス情報を備える、請求項８に記載の装置。
【手続補正２】
【補正対象書類名】明細書
【補正対象項目名】００１６
【補正方法】変更
【補正の内容】
【００１６】
さらに別の実施形態では、装置は、少なくとも１つのプロセッサと、少なくとも１つのプロセッサに結合されるメモリとを含み、少なくとも１つのプロセッサは、要求スライス情報を無線通信デバイスから受信することと、ネットワークスライスインスタンス選択要求メッセージを、少なくとも１つのネットワークスライスインスタンスに関する機能情報を維持する第１のデータベースに送信することであって、ネットワークスライスインスタンス選択要求メッセージは、要求スライス情報と、要求されるデータセッションがホームルーティングされることのインジケーションとを備える、ことと、ネットワークスライスインスタンス選択応答メッセージを第１のデータベースから受信することと、サービス提供ネットワークスライスインスタンスと関連付けられた第１のセッション管理機能を選択することと、ホームネットワークスライスインスタンスと関連付けられた第２のセッション管理機能を選択することとを行うように構成される。
本願明細書は、例えば、以下の項目も提供する。
（項目１）
方法であって、
登録要求をユーザ機器（ＵＥ）デバイスから受信することと、
前記ＵＥデバイスと関連付けられたアクセス場所情報および許可スライス情報を論理ネットワークデータベースに送信することと、
承認スライス情報およびホームネットワークの関連付けられたスライス情報を前記論理ネットワークデータベースから受信することと、
登録承認メッセージを前記ＵＥデバイスに送信することであって、前記登録承認メッセージは、前記承認スライス情報を備える、ことと
を含む、方法。
（項目２）
更新要求を前記ホームネットワークのサブスクライバデータベースに送信することと、
前記許可スライス情報を前記サブスクライバデータベースから受信することと
をさらに含む、項目１に記載の方法。
（項目３）
前記アクセス場所情報は、前記登録要求とともに受信される、項目１に記載の方法。
（項目４）
前記アクセス場所情報は、追跡エリア識別子リストを備える、項目３に記載の方法。
（項目５）
前記登録要求は、前記ＵＥデバイスと関連付けられた構成スライス情報を備え、前記承認スライス情報は、前記構成スライス情報および前記許可スライス情報をサービス提供ネットワークの対応するスライス情報にマッピングし、前記アクセス場所情報によって示されるエリア内でサポートされる共通スライス情報を見出すことによって生成される、項目１に記載の方法。
（項目６）
前記承認スライス情報と関連付けられたネットワークスライスインスタンスを識別する情報を送信することをさらに含む、項目５に記載の方法。
（項目７）
前記ネットワークスライスインスタンスを識別する情報は、サービス提供ネットワークと関連付けられた第１のネットワークスライスインスタンスに関する情報にアクセスするための第１のネットワークアドレスと、前記ホームネットワークと関連付けられた第２のネットワークスライスインスタンスに関する情報にアクセスするための第２のネットワークアドレスとを備える、項目６に記載の方法。
（項目８）
前記承認スライス情報および前記ホームネットワークの関連付けられたスライス情報をメモリ内に記憶することをさらに含む、項目１に記載の方法。
（項目９）
前記登録承認メッセージはさらに、前記アクセス場所情報を備える、項目１に記載の方法。
（項目１０）
前記アクセス場所情報は、追跡エリア識別子リストを備える、項目９に記載の方法。
（項目１１）
方法であって、
要求スライス情報を無線通信デバイスから受信することと、
ネットワークスライスインスタンス選択要求メッセージを、少なくとも１つのネットワークスライスインスタンスに関する機能情報を維持する第１のデータベースに送信することであって、前記ネットワークスライスインスタンス選択要求メッセージは、前記要求スライス情報と、要求されるデータセッションがホームルーティングされることのインジケーションとを備える、ことと、
ネットワークスライスインスタンス選択応答メッセージを前記第１のデータベースから受信することと、
サービス提供ネットワークスライスインスタンスと関連付けられた第１のセッション管理機能を選択することと、
ホームネットワークスライスインスタンスと関連付けられた第２のセッション管理機能を選択することと
を含む、方法。
（項目１２）
前記方法はさらに、前記要求スライス情報をホームネットワークの対応するスライス情報にマッピングすることを含む、項目１１に記載の方法。
（項目１３）
前記ネットワークスライスインスタンス選択応答メッセージは、前記サービス提供ネットワークスライスインスタンスと関連付けられた第１のネットワークアドレスと、前記ホームネットワークスライスインスタンスと関連付けられた第２のネットワークアドレスとを備える、項目１１に記載の方法。
（項目１４）
前記第１のネットワークアドレスは、前記サービス提供ネットワークスライスインスタンスに関する第１の機能情報を含有する第１のデータベースへのアクセスを有効にし、前記第２のネットワークアドレスは、前記ホームネットワークスライスインスタンスに関する第２の機能情報を含有する第２のデータベースへのアクセスを有効にする、項目１３に記載の方法。
（項目１５）
第１のセッション管理機能選択要求メッセージを前記第１のデータベースに送信することと、
第１のセッション管理機能選択応答メッセージを受信することであって、前記第１のセッション管理機能は、前記第１のセッション管理機能選択応答メッセージに基づいて選択される、ことと、
前記第１のセッション管理機能に、第２のセッション管理機能選択要求メッセージを前記第２のデータベースに送信させ、その後、第２のセッション管理機能選択応答メッセージを受信させることであって、前記第２のセッション管理機能は、前記第２のセッション管理機能選択応答メッセージに基づいて選択される、ことと
をさらに含む、項目１４に記載の方法。
（項目１６）
前記第２のセッション管理機能が、前記要求スライス情報に対応する１つ以上の機能を提供することができないことを判定する場合、前記第２のセッション管理機能に、別のホームネットワークスライスインスタンスと関連付けられた第３のセッション管理機能を選択させることをさらに含む、項目１５に記載の方法。
（項目１７）
第１のセッション管理機能選択要求メッセージを前記第１のデータベースに送信することと、
第１のセッション管理機能選択応答メッセージを受信することであって、前記第１のセッション管理機能は、前記第１のセッション管理機能選択応答メッセージに基づいて選択される、ことと、
第２のセッション管理機能選択要求メッセージを前記第２のデータベースに送信することと、
第２のセッション管理機能選択応答メッセージを受信することであって、前記第２のセッション管理機能は、前記第２のセッション管理機能選択応答メッセージに基づいて選択される、ことと
をさらに含む、項目１４に記載の方法。
（項目１８）
前記第２のセッション管理機能が、前記要求スライス情報に対応する１つ以上の機能を提供することができないことを判定する場合、前記第２のセッション管理機能に、別のホームネットワークスライスインスタンスと関連付けられた第３のセッション管理機能を選択させることをさらに含む、項目１７に記載の方法。
（項目１９）
前記ネットワークスライスインスタンス選択応答メッセージは、前記要求スライス情報と関連付けられたホームネットワークのスライス情報を備える、項目１１に記載の方法。
（項目２０）
装置であって、
少なくとも１つのプロセッサと、前記プロセッサに結合されたメモリとを備え、
前記少なくとも１つのプロセッサは、
登録要求をユーザ機器（ＵＥ）デバイスから受信することと、
前記ＵＥデバイスと関連付けられたアクセス場所情報および許可スライス情報を論理ネットワークデータベースに送信することと、
承認スライス情報およびホームネットワークの関連付けられたスライス情報を前記論理ネットワークデータベースから受信することと、
登録承認メッセージを前記ＵＥデバイスに送信することであって、前記登録承認メッセージは、前記承認スライス情報を備える、ことと
を行うように構成されている、装置。
（項目２１）
前記少なくとも１つのプロセッサはさらに、
更新要求を前記ホームネットワークのサブスクライバデータベースに送信することと、
前記許可スライス情報を前記サブスクライバデータベースから受信することと
を行うように構成されている、項目２０に記載の装置。
（項目２２）
前記アクセス場所情報は、前記登録要求とともに受信される、項目２０に記載の装置。
（項目２３）
前記アクセス場所情報は、追跡エリア識別子リストを備える、項目２２に記載の装置。
（項目２４）
前記登録要求は、前記ＵＥデバイスと関連付けられた構成スライス情報を備え、前記承認スライス情報は、前記構成スライス情報および前記許可スライス情報をサービス提供ネットワークの対応するスライス情報にマッピングし、前記アクセス場所情報によって示されるエリア内でサポートされる共通スライス情報を見出すことによって生成される、項目２０に記載の装置。
（項目２５）
前記少なくとも１つのプロセッサはさらに、前記承認スライス情報と関連付けられたネットワークスライスインスタンスを識別する情報を送信するように構成されている、項目２４に記載の装置。
（項目２６）
前記ネットワークスライスインスタンスを識別する情報は、サービス提供ネットワークと関連付けられた第１のネットワークスライスインスタンスに関する情報にアクセスするための第１のネットワークアドレスと、前記ホームネットワークと関連付けられた第２のネットワークスライスインスタンスに関する情報にアクセスするための第２のネットワークアドレスとを備える、項目２５に記載の装置。
（項目２７）
前記少なくとも１つのプロセッサはさらに、前記承認スライス情報および前記ホームネットワークの関連付けられたスライス情報を前記メモリ内に記憶するように構成されている、項目２０に記載の装置。
（項目２８）
前記登録承認メッセージはさらに、前記アクセス場所情報を備える、項目２０に記載の装置。
（項目２９）
前記アクセス場所情報は、追跡エリア識別子リストを備える、項目２７に記載の装置。
（項目３０）
装置であって、
少なくとも１つのプロセッサと、前記少なくとも１つのプロセッサに結合されたメモリとを備え、
前記少なくとも１つのプロセッサは、
要求スライス情報を無線通信デバイスから受信することと、
ネットワークスライスインスタンス選択要求メッセージを、少なくとも１つのネットワークスライスインスタンスに関する機能情報を維持する第１のデータベースに送信することであって、前記ネットワークスライスインスタンス選択要求メッセージは、前記要求スライス情報と、要求されるデータセッションがホームルーティングされることのインジケーションとを備える、ことと、
ネットワークスライスインスタンス選択応答メッセージを前記第１のデータベースから受信することと、
サービス提供ネットワークスライスインスタンスと関連付けられた第１のセッション管理機能を選択することと、
ホームネットワークスライスインスタンスと関連付けられた第２のセッション管理機能を選択することと
を行うように構成されている、装置。
（項目３１）
前記少なくとも１つのプロセッサはさらに、前記要求スライス情報をホームネットワークの対応するスライス情報にマッピングするように構成されている、項目３０に記載の装置。
（項目３２）
前記ネットワークスライスインスタンス選択応答メッセージは、前記サービス提供ネットワークスライスインスタンスと関連付けられた第１のネットワークアドレスと、前記ホームネットワークスライスインスタンスと関連付けられた第２のネットワークアドレスとを備える、項目３１に記載の装置。
（項目３３）
前記第１のネットワークアドレスは、前記サービス提供ネットワークスライスインスタンスに関する第１の機能情報を含有する第１のデータベースへのアクセスを有効にし、前記第２のネットワークアドレスは、前記ホームネットワークスライスインスタンスに関する第２の機能情報を含有する第２のデータベースへのアクセスを有効にする、項目３２に記載の装置。
（項目３４）
前記少なくとも１つのプロセッサはさらに、
第１のセッション管理機能選択要求メッセージを前記第１のデータベースに送信することと、
第１のセッション管理機能選択応答メッセージを受信することであって、前記第１のセッション管理機能は、前記第１のセッション管理機能選択応答メッセージに基づいて選択される、ことと、
前記第１のセッション管理機能に、第２のセッション管理機能選択要求メッセージを前記第２のデータベースに送信させ、その後、第２のセッション管理機能選択応答メッセージを受信させることであって、前記第２のセッション管理機能は、前記第２のセッション管理機能選択応答メッセージに基づいて選択される、ことと
を行うように構成されている、項目３３に記載の装置。
（項目３５）
前記少なくとも１つのプロセッサはさらに、前記第２のセッション管理機能が、前記要求スライス情報に対応する１つ以上の機能を提供することができないことを判定する場合、前記第２のセッション管理機能に、別のホームネットワークスライスインスタンスと関連付けられた第３のセッション管理機能を選択させるように構成されている、項目３４に記載の装置。
（項目３６）
前記少なくとも１つのプロセッサはさらに、
第１のセッション管理機能選択要求メッセージを前記第１のデータベースに送信することと、
第１のセッション管理機能選択応答メッセージを受信することであって、前記第１のセッション管理機能は、前記第１のセッション管理機能選択応答メッセージに基づいて選択される、ことと、
第２のセッション管理機能選択要求メッセージを前記第２のデータベースに送信することと、
第２のセッション管理機能選択応答メッセージを受信することであって、前記第２のセッション管理機能は、前記第２のセッション管理機能選択応答メッセージに基づいて選択される、ことと
を行うように構成されている、項目３３に記載の装置。
（項目３７）
前記少なくとも１つのプロセッサはさらに、前記第２のセッション管理機能が、前記要求スライス情報に対応する１つ以上の機能を提供することができないことを判定する場合、前記第２のセッション管理機能に、別のホームネットワークスライスインスタンスと関連付けられた第３のセッション管理機能を選択させるように構成されている、項目３３に記載の装置。
（項目３８）
前記ネットワークスライスインスタンス選択応答メッセージは、前記要求スライス情報と関連付けられたホームネットワークのスライス情報を備える、項目３０に記載の装置。
【手続補正書】
【提出日】令和1年12月24日(2019.12.24)
【手続補正１】
【補正対象書類名】特許請求の範囲
【補正対象項目名】全文
【補正方法】変更
【補正の内容】
【特許請求の範囲】
【請求項１】
方法であって、
登録要求をユーザ機器（ＵＥ）デバイスから受信することと、
前記ＵＥデバイスと関連付けられたアクセス場所情報および許可スライス情報を論理ネットワークデータベースに送信することと、
承認スライス情報およびホームネットワークの関連付けられたスライス情報を前記論理ネットワークデータベースから受信することと、
登録承認メッセージを前記ＵＥデバイスに送信することであって、前記登録承認メッセージは、前記承認スライス情報を備える、ことと
を含む、方法。
【請求項２】
更新要求を前記ホームネットワークのサブスクライバデータベースに送信することと、
前記許可スライス情報を前記サブスクライバデータベースから受信することと
をさらに含む、請求項１に記載の方法。
【請求項３】
前記登録要求は、前記ＵＥデバイスと関連付けられた構成スライス情報を備え、前記承認スライス情報は、前記構成スライス情報および前記許可スライス情報をサービス提供ネットワークの対応するスライス情報にマッピングし、前記アクセス場所情報によって示されるエリア内でサポートされる共通スライス情報を見出すことによって生成される、請求項１に記載の方法。
【請求項４】
前記承認スライス情報と関連付けられたネットワークスライスインスタンスを識別する情報を受信することをさらに含む、請求項１に記載の方法。
【請求項５】
装置であって、
少なくとも１つのプロセッサと、前記プロセッサに結合されたメモリとを備え、
前記少なくとも１つのプロセッサは、
登録要求をユーザ機器（ＵＥ）デバイスから受信することと、
前記ＵＥデバイスと関連付けられたアクセス場所情報および許可スライス情報を論理ネットワークデータベースに送信することと、
承認スライス情報およびホームネットワークの関連付けられたスライス情報を前記論理ネットワークデータベースから受信することと、
登録承認メッセージを前記ＵＥデバイスに送信することであって、前記登録承認メッセージは、前記承認スライス情報を備える、ことと
を行うように構成されている、装置。
【請求項６】
前記少なくとも１つのプロセッサは、
更新要求を前記ホームネットワークのサブスクライバデータベースに送信することと、
前記許可スライス情報を前記サブスクライバデータベースから受信することと
を行うようにさらに構成されている、請求項５に記載の装置。
【請求項７】
前記登録要求は、前記ＵＥデバイスと関連付けられた構成スライス情報を備え、前記承認スライス情報は、前記構成スライス情報および前記許可スライス情報をサービス提供ネットワークの対応するスライス情報にマッピングし、前記アクセス場所情報によって示されるエリア内でサポートされる共通スライス情報を見出すことによって生成される、請求項５に記載の装置。
【請求項８】
前記少なくとも１つのプロセッサは、前記承認スライス情報と関連付けられたネットワークスライスインスタンスを識別する情報を受信するようにさらに構成されている、請求項５に記載の装置。
【請求項９】
コンピュータ実行可能命令をその上に記憶している非一過性のコンピュータ可読媒体であって、前記コンピュータ実行可能命令は、プロセッサによって実行されるとき、前記プロセッサに、
登録要求をユーザ機器（ＵＥ）デバイスから受信することと、
前記ＵＥデバイスと関連付けられたアクセス場所情報および許可スライス情報を論理ネットワークデータベースに送信することと、
承認スライス情報およびホームネットワークの関連付けられたスライス情報を前記論理ネットワークデータベースから受信することと、
登録承認メッセージを前記ＵＥデバイスに送信することであって、前記登録承認メッセージは、前記承認スライス情報を備える、ことと
を行わせる、非一過性のコンピュータ可読媒体。
【請求項１０】
前記コンピュータ実行可能命令は、プロセッサによって実行されるとき、さらに、前記プロセッサに、
更新要求を前記ホームネットワークのサブスクライバデータベースに送信することと、
前記許可スライス情報を前記サブスクライバデータベースから受信することと
を行わせる、請求項９に記載の非一過性のコンピュータ可読媒体。
【請求項１１】
前記登録要求は、前記ＵＥデバイスと関連付けられた構成スライス情報を備え、前記承認スライス情報は、前記構成スライス情報および前記許可スライス情報をサービス提供ネットワークの対応するスライス情報にマッピングし、前記アクセス場所情報によって示されるエリア内でサポートされる共通スライス情報を見出すことによって生成される、請求項９に記載の非一過性のコンピュータ可読媒体。
【請求項１２】
前記コンピュータ実行可能命令は、プロセッサによって実行されるとき、さらに、前記プロセッサに、前記承認スライス情報と関連付けられたネットワークスライスインスタンスを識別する情報を受信することを行わせる、請求項９に記載の非一過性のコンピュータ可読媒体。
【国際調査報告】
2020516165.tif 000008
2020516165.tif 000009